(57)【特許請求の範囲】
【請求項１】
上衽と、上前身頃と、左右の後身頃と、下前身頃と、下衽と、前記上衽および前記下衽に左右の衿先部が配設されるとともに脇から胸、さらには頸周りに到る前記上前身頃と、前記左右の後身頃と、前記下前身頃とに跨り、頸を囲むように形成され、縫着された衿部とによりきもの本体が構成されるきものの長着を手直しして簡易に着用されるようにする簡着用きものにおいて、
前記きもの本体の裾の余端部を上方に折り返して着丈を決定し、前記余端部に相当する長さの１／２幅が前記上衽、前記上前身頃、前記左右の後身頃、前記下前身頃、前記下衽により形成される胴周りに折り込まれて上方部が縫着されるおはしょり部を備え、
前記おはしょり部の上方部の前記胴周りに縫着した縫い目に略一致する個所まで、前記衿部の表衿と、裏衿とに幅方向に２つ折りされる中央折線に対しその両側の外縁部側に配置された閉鎖側端部の、前記上衽および前記下衽に対する衿先からの縫着が解かれた前記衿先の余端部が、前記おはしょり部の下部折込縁部に略一致して折込まれて長さ調整されるとともに、前記閉鎖側端部が、前記おはしょり部に重ね合わされて縫着される、
ことを特徴とする簡着用きもの。
【請求項２】
前記衿先の余端部が、幅方向に略直角に折込まれて前記閉鎖側端部が、前記上衽および前記下衽に対して縫着されることを特徴とする請求項１に記載の簡着用きもの。
【請求項３】
前記衿先の余端部は、前記衿部を構成する表衿と裏衿とを幅方向に二つ折りする中央折線を境に線対称的に２つの斜辺部を対向して設けた形大の２つの第１三角片部と、前記第１三角片部の一方の斜辺部を底辺部として前記中央折線が共通の一辺となるように線対称的に隣接して設けられた形小の２つの第２三角片部とにより構成され、
２つの前記第１三角片部の各々の前記一方の斜辺部を前記中央折線に一致されるように他方の斜辺部で折り込むとともに、２つの前記第２三角片部が、前記第１三角片部に重ね合わされるように前記共通の一辺及び前記底辺部で折り込まれることにより剣先部が形成され、
前記剣先部の下縁を前記おはしょり部の下部折込縁部の延長線上に一致させて、前記閉鎖側端部が、前記上衽および前記下衽に対して縫着されることを特徴とする請求項１に記載の簡着用きもの。
【請求項４】
上衽と、上前身頃と、左右の後身頃と、下前身頃と、下衽と、前記上衽および前記下衽に左右の衿先部が配設されるとともに脇から胸、さらには頸周りに到る前記上前身頃と、前記左右の後身頃と、前記下前身頃とに跨り、頸を囲むように形成され、縫着された衿部とによりきもの本体が構成されるきものの長着を手直しして簡易に着用されるようにする簡着用きものの仕立方法において、
前記きもの本体の裾の余端部を上方に折り返して着丈を決定する工程と、
前記余端部に相当する長さの１／２幅が前記上衽、前記上前身頃、前記左右の後身頃、前記下前身頃、前記下衽により形成される胴周りに折り込まれて上方部が前記胴周りに縫着されておはしょり部を形成する工程と、
前記おはしょり部の上方部の前記胴回りに縫着した縫い目に略一致する個所まで、前記衿部の表衿と、裏衿とに幅方向に２つ折りされる中央折線に対しその両側の外縁部側に配置された閉鎖側端部の、前記上衽および前記下衽に対する衿先からの縫着が解かれる工程と、
前記衿先の余端部が前記おはしょり部の下部折込縁部に略一致して折込まれて長さ調整される工程と、
前記閉鎖側端部が、前記おはしょり部に重ね合わせられて縫着される工程と、
を備えていることを特徴とする簡着用きものの仕立方法。
【発明の詳細な説明】
【技術分野】
【０００１】
本発明は簡着用きもの、および簡着用きものの仕立方法に関し、きものの長着を鋏にて切断することなく、必要最小限の手直しを施して着付け上がった状態で縫い上げられることにより着用した場合に被着者の着丈に合致し、またえもんが抜けて衿もとがはだけたり、しかも下前身頃が上前身頃よりも裾線が下がって着崩れることなく、さらには裾窄まりの美しい着付が迅速かつ簡単に行える簡着用きものを提供しようとするものである。
【背景技術】
【０００２】
従来、例えば女性がきものを着用する場合に、所定手順と処理が複雑であることと、多くの時間がかかり、面倒であるので敬遠されがちである。１人できものを着る場合には、自分の身丈に合うように裾先を合わせたり、えもんを抜いたり、下前身頃が上前身頃から下がって裾がはだけたりする等、着崩れ易いことから敬遠されがちであった。そこで、多くの場合には、専門的な知識と技能を有する着付者が着付けを介助することにより行われていた。このような時節には、被着者が着付者の所へ着用すべききものと、その付属品を持参して出向かなければならず、手間と費用がかかり、経済的に不利であった。
【０００３】
従来、和服用の長着を被着者が１人で行える簡易着付け可能な和服用長着として、長着の後身頃の内側に取付けられた第１の紐手段により長着の丈方向位置を位置切めして仮締めを行い、長着の下前における襟先部分に取付けられた第２の紐手段と上前における襟先部分の第３の紐手段とを結び合わせることにより端折りを形成しておはしょりを設定し、後身頃における背縫いライン上にあって前記第１の紐手段の取り付け部の下部に設けた紐通し手段により第２の紐手段を挿通する構成によりおはしょりの設定および裾合わせを容易に行えるようにするものがあった（例えば特許文献１参照。）。
【発明の開示】
【発明が解決しようとする課題】
【０００４】
ところで、上記特許文献１に記載の上記従来の和服用長着では、後身頃の内側に取付けられた第１の紐手段により仮締めして長着の丈方向位置の位置決めを行い、長着の下前における襟先部分に取付けられた第２の紐手段と上前における襟先部分の第３の紐手段とを結び合わせることにより端折りを形成しておはしょりを設定する構成であり、きものの着付けを行う毎にきものの着丈、おはしょり、裾合わせが造作されるものである。従って、第１の紐手段、第２の紐手段および第３の紐手段の結びを解除してきものを脱ぐと、きものは元の長着に戻り、着丈、おはしょりは無くなる。しかも、上記従来の和服用長着では、第１の紐手段、第２の紐手段および第３の紐手段の結び加減により着丈、おはしょり、裾合わせの出来具合が変化し、一様ではない。従って、被着者の着丈に合致しなかったり、または下前身頃が上前身頃よりも裾線が下がったり、またえもんが抜けずに衿もとがはだけたりする等の着崩れを生ずることがあり、毎回、美しい着付けを行うことを保証するのにはほど遠いものであった。さらには、きものを着用したり、脱いだりする場合には、第１の紐手段、第２の紐手段および第３の紐手段を結んだり、または、紐の結目を解かなければならない等の手順、所作を必要とし、多くの時間、労力がかかり、能率的ではない。
【０００５】
本発明はかかる問題点を解決し、きものの長着を形成する構成部品を鋏にて切断することなく、必要最小限の手直しを施こすだけできものは着付け上がった状態で縫い上げられることにより、着用する場合に毎回、被着者の着丈に合致し、また、えもんが抜けて衿もとがはだけたりすることなく、しかも下前身頃が上前身頃よりも裾線が下がって着崩れることなく、さらには、裾窄まりの毎回、美しい着付が１人で迅速かつ簡単、さらには確実に行える簡着用きもの、および簡着用きものの仕立方法を提供することを目的とする。
【課題を解決するための手段】
【０００６】
本発明は上記課題に鑑みてなされ請求項１に記載の発明は、
上衽と、上前身頃と、左右の後身頃と、下前身頃と、下衽と、前記上衽および前記下衽に左右の衿先部が配設されるとともに脇から胸、さらには頸周りに到る前記上前身頃と、前記左右の後身頃と、前記下前身頃とに跨り、頸を囲むように形成され、縫着された衿部とによりきもの本体が構成されるきものの長着を手直しして簡易に着用されるようにする簡着用きものにおいて、
前記きもの本体の裾の余端部を上方に折り返して着丈を決定し、前記余端部に相当する長さの１／２幅が前記上衽、前記上前身頃、前記左右の後身頃、前記下前身頃、前記下衽により形成される胴周りに折り込まれて上方部が縫着されるおはしょり部を備え、
前記おはしょり部の上方部の前記胴周りに縫着した縫い目に略一致する個所まで、前記衿部の表衿と、裏衿とに幅方向に２つ折りされる中央折線に対しその両側の外縁部側に配置された閉鎖側端部の、前記上衽および前記下衽に対する衿先からの縫着が解かれた前記衿先の余端部が、前記おはしょり部の下部折込縁部に略一致して折込まれて長さ調整されるとともに、前記閉鎖側端部が、前記おはしょり部に重ね合わされて縫着される、
ことを特徴とする。
【０００８】
また、本発明の請求項２に記載の発明は、請求項１において、前記衿先の余端部が、幅方向に略直角に折込まれて前記閉鎖側端部が、前記上衽および前記下衽に対して縫着されることを特徴とする。
【０００９】
また、本発明の請求項３に記載の発明は、請求項１において、前記衿先の余端部は、前記衿部を構成する表衿と裏衿とを幅方向に二つ折りする中央折線を境に線対称的に２つの斜辺部を対向して設けた形大の２つの第１三角片部と、前記第１三角片部の一方の斜辺部を底辺部として前記中央折線が共通の一辺となるように線対称的に隣接して設けられた形小の２つの第２三角片部とにより構成され、
２つの前記第１三角片部の各々の前記一方の斜辺部を前記中央折線に一致されるように他方の斜辺部で折り込むとともに、２つの前記第２三角片部が、前記第１三角片部に重ね合わされるように前記共通の一辺及び前記底辺部で折り込まれることにより剣先部が形成され、
前記剣先部の下縁を前記おはしょり部の下部折込縁部の延長線上に一致させて、前記閉鎖側端部が、前記上衽および前記下衽に対して縫着されることを特徴とする。
【００１２】
さらに、本発明の請求項４に記載の発明は、上衽と、上前身頃と、左右の後身頃と、下前身頃と、下衽と、前記上衽および前記下衽に左右の衿先部が配設されるとともに脇から胸、さらには頸周りに到る前記上前身頃と、前記左右の後身頃と、前記下前身頃とに跨り、頸を囲むように形成され、縫着された衿部とによりきもの本体が構成されるきものの長着を手直しして簡易に着用されるようにする簡着用きものの仕立方法において、
前記きもの本体の裾の余端部を上方に折り返して着丈を決定する工程と、
前記余端部に相当する長さの１／２幅が前記上衽、前記上前身頃、前記左右の後身頃、前記下前身頃、前記下衽により形成される胴周りに折り込まれて上方部が前記胴周りに縫着されておはしょり部を形成する工程と、
前記おはしょり部の上方部の前記胴回りに縫着した縫い目に略一致する個所まで、前記衿部の表衿と、裏衿とに幅方向に２つ折りされる中央折線に対しその両側の外縁部側に配置された閉鎖側端部の、前記上衽および前記下衽に対する衿先からの縫着が解かれる工程と、
前記衿先の余端部が前記おはしょり部の下部折込縁部に略一致して折込まれて長さ調整される工程と、
前記閉鎖側端部が、前記おはしょり部に重ね合わせられて縫着される工程と、
を備えていることを特徴とする。
【発明の効果】
【００１４】
本発明の請求項１に記載の発明によれば、上衽と、上前身頃と、左右の後身頃と、下前身頃と、下衽と、前記上衽および前記下衽に左右の衿先部が配設されるとともに脇から胸、さらには頸周りに到る前記上前身頃と、前記左右の後身頃と、前記下前身頃とに跨り、頸を囲むように形成され、縫着された衿部とによりきもの本体が構成されるきものの長着を手直しして簡易に着用されるようにする簡着用きものにおいて、前記きもの本体の裾の余端部を上方に折り返して着丈を決定し、前記余端部に相当する長さの１／２幅が前記上衽、前記上前身頃、前記左右の後身頃、前記下前身頃、前記下衽により形成される胴周りに折り込まれて上方部が縫着されるおはしょり部を備え、前記おはしょり部の上方部の前記胴周りに縫着した縫い目に略一致する個所まで、前記衿部の表衿と、裏衿とに幅方向に２つ折りされる中央折線に対しその両側の外縁部側に配置された閉鎖側端部の、前記上衽および前記下衽に対する衿先からの縫着が解かれた前記衿先の余端部が、前記おはしょり部の下部折込縁部に略一致して折込まれて長さ調整されるとともに、前記閉鎖側端部が、前記おはしょり部に重ね合わされて縫着されるので、きものの長着の構成部品を鋏にて切断することなく、必要最小限の手直しを施こすだけで着付け上がった状態で縫い上げられることにより、着用する場合に毎回、被着者の着丈に合致し、また、えもんが抜けて衿もとがはだけたりすることなく、しかも下前身頃が上前身頃よりも裾線が下がって着崩れることなく、さらには、裾窄まりの毎回、美しい着付が１人で迅速かつ簡単、さらには確実に行える。
【００１６】
また、本発明の請求項２に記載の発明によれば、請求項１において、前記衿先の余端部が、幅方向に略直角に折込まれて前記閉鎖側端部が、前記上衽および前記下衽に対して縫着されるので、おはしょり部の下部折込縁部に下縁が略一致する長さに衿部の衿先の余端部が直角に折込まれて長さ調整されてから縫着されるため、きもの本体を着用するのに帯を締めた場合に、えもんが抜けて衿もとがはだける等の着崩れがなく、毎回、美しい着付が１人で迅速かつ簡単、さらには確実に行える。また、衿部は前記おはしょり部の縫い目に下縁が略一致するまで前記衿先部の閉鎖側端部が前記上衽および下衽に対する縫着が解かれた後に衿先の余端が端部処理されるから、必要最小限の手直しで済む。
【００１７】
また、本発明の請求項３に記載の発明によれば、請求項１において、前記衿先の余端部は、前記衿部を構成する表衿と裏衿とを幅方向に二つ折りする中央折線を境に線対称的に２つの斜辺部を対向して設けた形大の２つの第１三角片部と、前記第１三角片部の一方の斜辺部を底辺部として前記中央折線が共通の一辺となるように線対称的に隣接して設けられた形小の２つの第２三角片部とにより構成され、２つの前記第１三角片部の各々の前記一方の斜辺部を前記中央折線に一致されるように他方の斜辺部で折り込むとともに、２つの前記第２三角片部が、前記第１三角片部に重ね合わされるように前記共通の一辺及び前記底辺部で折り込まれることにより剣先部が形成され、前記剣先部の下縁を前記おはしょり部の下部折込縁部の延長線上に一致させて、前記閉鎖側端部が、前記上衽および前記下衽に対して縫着されるので、きもの本体を着用するのに帯を締めた場合に、えもんが抜けて衿もとがはだける等の着崩れがなく、毎回、美しい着付が１人で迅速かつ簡単、さらには確実に行える。しかも、衿部は前記おはしょり部の縫い目に前記おはしょり部の縫い目に略一致する個所まで前記衿先部の閉鎖側端部が前記上衽および下衽に対して縫着が解かれた後に剣先部の先端側の余端が端部処理されるから、必要最小限の手直しで済む。
【００２０】
また、本発明の請求項４に記載の発明によれば、上衽と、上前身頃と、左右の後身頃と、下前身頃と、下衽と、前記上衽および前記下衽に左右の衿先部が配設されるとともに脇から胸、さらには頸周りに到る前記上前身頃と、前記左右の後身頃と、前記下前身頃とに跨り、頸を囲むように形成され、縫着された衿部とによりきもの本体が構成されるきものの長着を手直しして簡易に着用されるようにする簡着用きものの仕立方法において、前記きもの本体の裾の余端部を上方に折り返して着丈を決定する工程と、前記余端部に相当する長さの１／２幅が前記上衽、前記上前身頃、前記左右の後身頃、前記下前身頃、前記下衽により形成される胴周りに折り込まれて上方部が前記胴周りに縫着されておはしょり部を形成する工程と、前記おはしょり部の上方部の前記胴回りに縫着した縫い目に略一致する個所まで、前記衿部の表衿と、裏衿とに幅方向に２つ折りされる中央折線に対しその両側の外縁部側に配置された閉鎖側端部の、前記上衽および前記下衽に対する衿先からの縫着が解かれる工程と、前記衿先の余端部が前記おはしょり部の下部折込縁部に略一致して折込まれて長さ調整される工程と、前記閉鎖側端部が、前記おはしょり部に重ね合わせられて縫着される工程と、を備えているので、きものの長着を鋏にて切断することなく、必要最小限の手直しを施こすだけで着付け上がった状態で縫い上げられることにより、着用する場合に毎回、被着者の着丈に合致し、また、えもんが抜けて衿もとがはだけたりすることなく、しかも下前身頃が上前身頃よりも裾線が下がって着崩れることなく、さらには、裾窄まりの毎回、美しい着付が１人で迅速かつ簡単、さらには確実に行える。
【発明を実施するための最良の形態】
【００２２】
以下、図面に従って本発明を実施するための最良の形態ににつき、詳細に説明する。
【００２３】
図１は本発明の簡着用きものの実施形態１を示す正面図、図２は同じく背面図、図３は同じく着丈を決定する工程の正面図、図４は同じく背面図、図５は同じく衿先の閉鎖側端部側の縫着を解いた状態の正面図、図６は同じくおはしょり部を形成する場合の説明的な正面図、図７は同じく衿先処理する状態の正面図、図８は同じく衿先処理する状態の斜視図、図９は同じく衿先処理した完成品の正面図である。
【００２４】
本実施形態１は、図１、図２に示すように、上衽２と、上前身頃３と、左右の後身頃４,４′と、下前身頃３′と、下衽２′と、前記上衽２および前記下衽２′に略一致して左右の衿先部５ａ,５ｂが配設されるとともに脇から胸、さらには頸周りに到る前記上前身頃３と、前記左右の後身頃４,４′と、前記下前身頃３′とに跨り、頸を囲むように形成され、縫着された衿部５とによりきもの本体１が構成されるきものの長着を最小限の手直を施して簡易に着用されるようにする簡着用きものであり、例えば構成部品の縫着を解いて再利用する観点から鋏を用いて裁断することなく、しかも手直しを必要とする部所は必要最小限の範囲にとどめるために、着丈Ｌと、おはしょり部８と、衿先との３つの要素を念頭においてきもの本体１を着付け上げた状態に縫い上げる。
【００２５】
すなわち、図示する本実施形態１では、前記きもの本体１の裾６の余端部６Ａを上方に折り返して着丈Ｌを決定し、前記余端部６Ａに相当する長さＬ１の１／２幅が前記上衽２、前記上前身頃３、前記左右の後身頃４,４′、前記下前身頃３′、前記下衽２′により形成される胴周りに折り込まれて上方部が前記胴周りに縫着７Ａされるおはしょり部８と、前記おはしょり部８の上方部の前記胴回りに縫着した縫い目７に略一致する個所まで、前記衿部５の後記表衿５Ａと、後記裏衿５Ｂとに幅方向に２つ折りされる後記中央折線Ｉに対してその両側の外縁部側に配置された閉鎖側端部５ａ1,５ｂ1の、前記上衽２および前記下衽２′に対する衿先からの縫着が解かれた前記衿先部５ａ,５ｂの余端部５ａ2,５ｂ2が、前記おはしょり部８の下部折込縁部８ａに一致して折込まれて長さ調整されるとともに、前記閉鎖側端部５ａ1,５ｂ1が前記おはしょり部８に重ね合わせられて縫着される、ことを特徴とする。
【００２６】
このように、きものの長着の構成部品を鋏にて切断することなく、必要最小限範囲に限って手直しを施こすだけで着付け上がった状態で縫い上げることにより、きもの本体１を着用する場合に毎回、被着者の着丈Ｌに合致し、また、えもんが抜けて衿もとがはだけたりすることなく、しかも下前身頃３′が上前身頃３よりも裾線Ｓが下がって着崩れることなく、さらには、毎回裾窄まりの美しい着付が１人で迅速かつ簡単、さらには確実に行える。
【００２７】
また、前記衿部５は前記おはしょり部８の縫い目７に略一致する個所まで前記衿先部５ａ,５ｂの閉鎖側端部５ａ1,５ｂ1が前記上衽２および下衽２′に対する縫着が解かれた後に、前記衿先部５ａ,５ｂの余端部５ａ2,５ｂ2が、前記衿部５は前記おはしょり部８の縫い目７に略一致する個所まで前記衿先部５ａ,５ｂの閉鎖側端部５ａ1,５ｂ1が前記上衽２および下衽２′に対する縫着が解かれた後に、前記衿先の余端部５ａ2,５ｂ2が、略直角に折曲されて前記上衽２および前記下衽２′に対して縫着されることを特徴とする。なお、本実施形態１の衿部５は、表衿５Ａと、裏衿５Ｂとを中央折線Ｉを介して幅方向Ｗに２つ折りされる図７、および図９のように拡げられた共衿が最適に使用される。
【００２８】
上記のように、衿部５の衿先の余端部５ａ2,５ｂ2は、おはしょり部８の下部折込縁部８ａに一致する長さに幅方向Ｗに略直角に折込まれて長さ調整されてから縫着されるので、きもの本体１を着用するのに帯Ｏを締めた場合に、えもんが抜けて衿もとがはだける等の着崩れがなく、着付けが行われる毎に、美しい着付が被着者自らが１人で迅速かつ簡単、さらには確実に行える。また、衿部５は前記おはしょり部８の縫い目７に略一致する個所まで前記衿先部５ａ,５ｂの閉鎖側端部５ａ1,５ｂ1が前記上衽２および下衽２′に対する縫着が解かれることによって衿先の余端部５ａ2,５ｂ2が端部処理されるから、きものの例えば長着の衿部５を全面的にきもの本体１から分離して手直しする場合に較して必要最小限の手直しで済むとともにきものの長着を着用する場合に較べて着付け作業が迅速かつ簡単になり、１人でも容易に行える。
【００２９】
また、前記おはしょり部８が、図６に示すように、左右の前記後身頃４,４′相互を縫着する縫着部としての背縫中心部Ｈ1と、左側の前記後身頃４と前記上前身頃３との縫着部Ｈ２と、右側の前記後身頃４′と前記下前身頃３′との縫着部Ｈ２′とは、おはしょり山線８ａ′に対して略同寸個所Ｐ１,Ｐ１,Ｐ１を縫目線Ｑ１として縫着され、前記上前身頃３と前記上衽２との縫着部Ｈ３は、前記おはしょり山線８ａ′に対して略同寸個所Ｐ１の前記縫目線Ｑ１より数ｃｍ上部、例えば１ｃｍ上部を縫目線Ｑ２として縫着され、前記下前身頃３′と前記下衽２′との縫着部Ｈ３′は、前記おはしより山線８ａ′に対して同寸個所Ｐ１の前記縫目線Ｑ１より数ｃｍ下部、例えば３ｃｍ下部を縫目線Ｑ３として縫着される。
【００３０】
このように、おはしょり部８が、図６に示すように、左右の前記後身頃４,４′相互を縫着する縫着部としての背縫中心部Ｈ1と、左側の前記後身頃４と前記上前身頃３との縫着部Ｈ２と、右側の前記後身頃４′と前記下前身頃３′との縫着部Ｈ２′とは、おはしょり山線８ａ′に対して略同寸個所Ｐ１,Ｐ１,Ｐ１を縫目線Ｑ１として縫着され、前記上前身頃３と前記上衽２との縫着部Ｈ３は、前記おはしょり山線８ａ′に対して略同寸個所Ｐ１の前記縫目線Ｑ１より数ｃｍ上部、例えば１ｃｍ上部を縫目線Ｑ２として縫着され、前記下前身頃３′と前記下衽２′との縫着部Ｈ３′は、前記おはしより山線８ａ′に対して同寸個所Ｐ１の前記縫目線Ｑ１より数ｃｍ下部、例えば３ｃｍ下部を縫い目線Ｑ３として縫着されるのは、きもの本体１の構成部品としての上衽２と、上前身頃３と、後身頃４と、後身頃４′と、下前身頃３′と、下衽２′との胴回りに着丈Ｌを調整するために形成されるおはしょり部８は、下前身頃３′側が上前身頃３側よりも多く縫われることになるから、下前身頃３′側が上前身頃３側よりも上がり、きもの本体１を着付けた場合に、常時、下前身頃３′が上前身頃３よりも裾線Ｓが上がって着付けられるようにして着崩れを防止するためと、さらには裾窄まりの美しい着付が被着者自らが１人にても迅速かつ簡単に行えるようにするためである。なお、おはしょり部８を形成する場合に、脇線側に生ずるタッグ部８ｂを後身頃４,４′側に折り畳んで縫付ければ、皺を生ずることがないおはしょり部８を形成することができる。
【００３１】
１０,１０′は必要に応じて衿先におはしょり部８の縫い目７に略一致して一端が固着された紐であり、きもの本体１を着付ける場合にこの紐１０,１０′を結ぶことにより衿部５の胸元がはだける等の着崩れは確実に防止される。
【００３２】
本実施形態１は以上のように、上衽２と、上前身頃３と、左右の後身頃４,４′と、下前身頃３′と、下衽２′と、前記上衽２および前記下衽２′に略一致して左右の衿先部５ａ,５ｂが配設されるとともに脇から胸、さらには頸周りに到る前記上前身頃３と、前記左右の後身頃４,４′と、前記下前身頃３′とに跨り、頸を囲むように形成される衿部５とにより構成されるきもの本体１の長着を最小限の手直しをして簡易に着用されるようにするために、前記きもの本体１の裾６の余端部６Ａを上方に折り返して着丈Ｌを決定する（図３、図４参照）。
【００３３】
この際、きもの本体１の着丈Ｌを決定するための手段としては、被着者はじばんを身に付け、きもの本体１をはおって軽く腰紐をした状態でじばんの衿に沿ってきもの本体１の衿５のえもんを抜く。それから、前述のように、床すれすれにきもの本体１の裾６の余端部６Ａを上方に折り返して数個所をマチ針で止めることにより着丈Ｌを決定する。この着丈Ｌの決定の順序は、背縫い、両脇線の順である。この時、背縫い、両脇線について測定された長さは、記録しておけば、後作業に便利である。
【００３４】
次いで、前記余端部６Ａに相当する長さＬ１の１／２幅を前記上衽２、前記上前身頃３、前記左右の後身頃４,４′、前記下前身頃３′、前記下衽２′により形成される胴周りに折り込んで上方部を縫着７Ａすることによりおはしょり部８を形成する。このように、おはしょり部８が、上衽２と、前記上前身頃３と、前記左右の後身頃４,４′と、前記下前身頃３′と、前記下衽２′とにより構成されるきもの本体１の胴周りに形成されることにより、きもの本体１は、被着者が毎時、着用する毎に被着者の着丈Ｌに常時、合致する。
【００３５】
この際、おはしょり部８は、図６に示すように、左右の前記後身頃４,４′相互を縫着する縫着部としての背縫中心部Ｈ1と、左側の前記後身頃４と前記上前身頃３との縫着部Ｈ２と、右側の前記後身頃４′と前記下前身頃３′との縫着部Ｈ２′とは、おはしょり山線８ａ′に対して略同寸個所Ｐ１,Ｐ１,Ｐ１を縫目線Ｑ１として縫着され、また、前記上前身頃３と前記上衽２との縫着部Ｈ３は、前記おはしょり山線８ａ′に対して略同寸個所Ｐ１の前記縫目線Ｑ１より数ｃｍ上部、例えば１ｃｍ上部を縫目線Ｑ２として縫着され、さらに、前記下前身頃３′と前記下衽２′との縫着部Ｈ３′は、前記おはしより山線８ａ′に対して同寸個所Ｐ１の前記縫目線Ｑ１より数ｃｍ下部、例えば３ｃｍ下部を縫目線Ｑ３として縫着されることによりきもの本体１の胴回りに形成される。このおはしょり部８をきもの本体１に形成するためには、成人女性の平均的数値を考慮してきもの本体１の後身頃４,４′と、前身頃３,３′との脇線に肩から５３cmの個所を標準寸法として付けられる印Ｍを目安としておはしょり線が形成されるが、これに限ることなく帯Ｏを当てて好みの位置、例えば帯Ｏに対する帯下６ｃｍの位置におはしょり線を設定してもよい（図３参照）。
【００３６】
このようにして、きもの本体１の胴回りにおはしょり部８を着付け上がった状態で形成するのは、きもの本体１を着付けた場合に、きもの本体１の構成部品としての上衽２と、上前身頃３と、後身頃４と、後身頃４′と、下前身頃３′と、下衽２′との胴回りに被着者の着丈Ｌを調整するために形成されるおはしょり部８が、下前身頃３′側が上前身頃３側よりも多く縫われる結果、下前身頃３′側が上前身頃３側よりも裾線Ｓが上がり、常時、下前身頃３′が上前身頃３よりも裾線Ｓが上がって着付けられるようになり、着崩れを防止するためである。
【００３７】
次いで、本実施形態１では、衿部５は前記おはしょり部８の縫い目７に略一致する個所まで衿先部５ａ,５ｂの閉鎖側端部５ａ1,５ｂ1が上衽２および下衽２′に対して縫着が解かれる（図５参照）。
【００３８】
それから、衿先部５ａ,５ｂは、閉鎖側端部５ａ1,５ｂ1が、前記おはしょり部８の下部折込縁部８ａに略一致する長さに衿先部５ａ,５ｂの余端部５ａ2,５ｂ2が幅方向Ｗに略直角に折曲されて長さ調整された状態にて該閉鎖側端部５ａ1,５ｂ1が前記おはしょり部８に重ね合わせられて縫着される。
【００３９】
このように、本実施形態１では、衿部５は前記おはしょり部８の縫い目７に略一致する個所まで衿先部５ａ,５ｂの閉鎖側端部５ａ1,５ｂ1が上衽２および下衽２′に対して縫着が解かれるものであり、きものの長着の構成部品の縫着を全面的に解き、構成部品を鋏にて切断することないため、後日の構成部品の再利用を行うことができる。
【００４０】
前述のように、衿部５は衿先部５ａ,５ｂの閉鎖側端部５ａ1,５ｂ1の縫着が解かれた後に、衿先部５ａ,５ｂの余端部５ａ2,５ｂ2が、閉鎖側端部５ａ1,５ｂ1に対して幅方向Ｗに略直角に折り込まれて長さ調整されて縫い込み９がされるため、幅方向Ｗに略直角に折込まれて長さ調整された余端部５ａ2,５ｂ2が外部に露出されて不体裁になることなく、綺麗に衿先部５ａ,５ｂは仕上がる。
【００４１】
また、衿先部５ａ,５ｂは、きもの本体１の着用時におはしょり部８の上から帯Ｏを締めた場合に、帯Ｏの帯下６ｃｍ程度の位置のおはしょり部８の下部折込縁部８ａに略一致して衿先部５ａ,５ｂの余端部５ａ2,５ｂ2が配置されるので、スッキリと美しい着付けが行えるとともに、帯Ｏの締付けにより衿元がはだけるのを一層有効に防止できる。
【００４２】
しかも、本実施形態１のきもの本体１は、必要最小限の範囲に限って上述のようにきもの本体１の構成部品に鋏を入れて切断することなく必要最小限の手直しを施こすだけで着付け上がった状態で縫い上げられるため、特許文献１に記載の上記従来の和服用長着のように、後身頃の内側に取付けられた第１の紐手段により仮締めして長着の丈方向位置を位置切めを行い、長着の下前における襟先部分に取付けられた第２の紐手段と上前における襟先部分の第３の紐手段とを結び合わせることにより端折りを形成しておはしょりを設定するものでは、きものの着付けを行う毎にきものの着丈、おはしょり、裾合わせが造作され、第１の紐手段、第２の紐手段および第３の紐手段の結びを解除してきものを脱ぐと、きものは元の長着に戻り、着丈、おはしょりが無くなるものとは異なる。しかも、上記従来の和服用長着では、第１の紐手段、第２の紐手段および第３の紐手段の結び加減如何により着丈、おはしょり、裾合わせの出来具合が変化し、一様ではなく、被着者の着丈に合致しなかったり、下前が上前よりも裾線が下がったり、またえもんが抜けずに衿もとがはだけたりする等の着崩れを生じて毎回、美しい着付けを行うことを保証するのにはほど遠いものであり、さらには、きものを着用したり、脱ぐのには、第１の紐手段、第２の紐手段および第３の紐手段を結んだり、結目を解かなければならない等の手順、所作と多くの時間、労力を必要とし、能率的ではないのとは異なり、本実施形態１では、きもの本体１を着用して帯を締め付けた場合毎に、毎回、被着者の着丈Ｌに合致し、また、えもんが抜けて衿もとがはだけたりする等、着崩れることなく、しかも、裾窄まりの毎回、美しい着付が１人で迅速かつ簡単、さらには確実に行える。
【００４３】
図１０、図１１、図１２、図１３に示すものは、本発明の簡着用きものの実施形態２であり、この実施形態２では前記上衽２および前記下衽２′に対して前記おはしょり部８の縫い目７に略一致する個所まで前記閉鎖側端部５ａ1,５ｂ1の縫着が解かれた前記衿先の余端部５ａ2,５ｂ2は、前記衿部５を構成する表衿５Ａと裏衿５Ｂとを幅方向に二つ折りする中央折線Ｉを境に線対称的に２つの斜辺部２０ａ,２０ａを対向して設けた形大の２つの第１三角片部２１,２１と、前記第１三角片部２１,２１の一方の斜辺部２０ａを底辺部として前記中央折線Ｉが共通の一辺となるように線対称的に隣接して設けられた形小の２つの第２三角片部２２,２２とにより構成され、２つの前記第１三角片部２１,２１の各々の前記一方の斜辺部２０ａを前記中央折線Ｉに一致されるように他方の斜辺部２０ａで折り込むとともに、２つの前記第２三角片部２２,２２が、前記第１三角片部２１,２１に重ね合わされるように前記共通の一辺及び前記底辺部で折り込まれることにより剣先部２０が形成され、前記剣先部２０の下縁を前記おはしょり部８の下部折込縁部８ａの延長線８ａ′上に一致させて、前記閉鎖側端部５ａ1,５ｂ1が、前記上衽２および前記下衽２′に対して縫着される構成である。
【００４４】
このように、おはしょり部８の下部折込縁部８ａの延長線８ａ′上に略一致する個所にておはしょり部８の縫い目７に略一致する個所まで縫着が解かれた衿先部５ａ,５ｂは剣先部２０として折曲されて長さ調整された状態にて縫着されるため、きもの本体１を着用するのに帯Ｏを締めた場合に、えもんが抜けて衿もとがはだける等の着崩れがなく、毎回、美しい着付が１人で迅速かつ簡単、さらには確実に行える。しかも、衿部５は前記おはしょり部８の縫い目７に略一致する個所まで前記衿先部５ａ,５ｂの閉鎖側端部５ａ1,５ｂ1が前記上衽２および下衽２′に対する縫着が解かれた後に衿先部５ａ,５ｂの先端側の余端部５ａ2,５ｂ2は、前記衿部５を構成する表衿５Ａと裏衿５Ｂとを二つ折りする中央折線Ｉを境に線対称的に前記剣先部２０,２０の斜辺部２０ａ,２０ａを二辺とした形大の２つの第１三角片部２１,２１は左右対称に折り畳まれ、該第１三角片部２１,２１の前記斜辺部２０ａを底辺部として隣接する形小の２つの第２三角片部２２,２２は前記中央折線Ｉを境に前記第１三角片部２１,２１に重ねられるように中高に折り込まれることにより端部処理されるから、必要最小限の手直しで済むという効果がある点で前記実施形態１と同様の構成、作用である。なお、この実施形態２においても、前述のように、前記衿先部５ａ,５ｂの余端部５ａ2,５ｂ2が、閉鎖側端部５ａ1,５ｂ1に対して幅方向Ｗに剣先部２０,２０として折曲されて長さ調整されて縫い込み９がされ、前記上衽２および前記下衽２′に縫着される。
【産業上の利用可能性】
【００４８】
本発明は、きものの長着を鋏にて切断することなく、必要最小限の手直しを施こすだけで着付け上がった状態で縫い上げられることにより、着用する場合に毎回、被着者の着丈に合致し、また、えもんが抜けて衿もとがはだけたりすることなく、しかも下前身頃が上前身頃よりも裾線が下がって着崩れることなく、さらには、裾窄まりの毎回、美しい着付が１人で迅速かつ簡単、さらには確実に行える用途・機能に適する。
【図面の簡単な説明】
【００４９】
【図１】図１は本発明の簡着用きものの実施形態１を示す正面図である。
【図２】図２は同じく背面図である。
【図３】図３は同じく着丈を決定する工程の正面図である。
【図４】図４は同じく背面図である。
【図５】図５は同じく衿先の閉鎖側端部側の縫着を解いた状態の正面図である。
【図６】図６は同じくおはしょり部を形成する場合の説明的な正面図である。
【図７】図７は同じく衿先処理する状態の正面図である。
【図８】図８は同じく衿先処理する状態の斜視図である。
【図９】図９は同じく衿先処理した完成品の正面図である。
【図１０】図１０は同じく本発明の簡着用きものの実施形態２を示す正面図である。
【図１１】図１１は同じく衿先部を端部処理する状態の斜視図である。
【図１２】図１２は同じく衿部を展開した状態の一部正面図である。
【図１３】図１３は同じく衿先部を端部処理する状態を示す下面図である。
【図１４】図１４は同じく本発明の簡着用きものの実施形態３を示す正面図である。
【図１５】図１５は同じく衿先部の先端部を処理する状態の部分正面図である。
【符号の説明】
【００５０】
１      きもの本体
２      上衽
２′    下衽
３      上前身頃
３′    下前身頃
４      後身頃
４′    後身頃
５      衿
５ａ    衿先
５ｂ    衿先
５ａ1   閉鎖側端部
５ｂ1   閉鎖側端部
５ａ2   余端部
５ｂ2   余端部
５ａ3   開放側端部
５ｂ3   開放側端部
７      縫い目
８      おはしょり部
８ａ    下部折込縁部
２０    剣先部
Ｗ      幅方向
【図１】
0004490910.tif 000002
【図２】
0004490910.tif 000003
【図３】
0004490910.tif 000004
【図４】
0004490910.tif 000005
【図５】
0004490910.tif 000006
【図６】
0004490910.tif 000007
【図７】
0004490910.tif 000008
【図８】
0004490910.tif 000009
【図９】
0004490910.tif 000010
【図１０】
0004490910.tif 000011
【図１１】
0004490910.tif 000012
【図１２】
0004490910.tif 000013
【図１３】
0004490910.tif 000014
【図１４】
0004490910.tif 000015
【図１５】
0004490910.tif 000016